(57)【特許請求の範囲】
【請求項１】
互いに協働する第１アウターカッターと第１アンダーカッターとを含む２つの第１カッターを有する第１のシェービングユニットと；
互いに協働する第２アウターカッターと第２アンダーカッターとを含む２つの第２カッターを有する第２のシェービングユニットと；
ヘアを剪断する関係で、前記第１アンダーカッターを前記第１アウターカッターに押し付けるバイアス手段と；
前記２つの第１カッターと、前記２つの第２カッターの少なくとも一つに結合された駆動源であって、前記第１のシェービングユニットの前記第１アンダーカッターと前記第１アウターカッターが前記駆動源に結合されて、切断および皮膚をアジテートする目的の為に駆動され、前記第２のシェービングユニットの前記アウターカッターはフォイル型カッターであり、作動しないことを特徴とする、ドライシェービング装置。
【請求項２】
共に協働する第１アウターカッターと第１アンダーカッターとを備える第１のシェービングユニットと；
共に協働する第２アウターカッターと第２アンダーカッターを備える第２のシェービングユニットと；
ハウジングと；
前記ハウジング内に装着され、前記第１シェービングユニット及び前記第２シェービングユニットの各々の、少なくとも一つのカッターに結合される駆動源と；
を備えるドライシェービング装置であって：
前記第１アウターカッターが、前記駆動源に結合され、振動運動のために装着されて、皮膚アジテーション部材としての機能を果たし；
前記第２アウターカッターは作動せず、前記第１アウターカッターの振動運動とは独立しており、動作中、前記第２アンダーカッターと前記第１アウターカッターは、異なる運動を行い、
前記第２アンダーカッターが、振動運動で駆動されるよう編成され、
前記第１アンダーカッターが、前記第２アンダーカッターと同位相で振動されるよう結合されることを特徴とする、前記ドライシェービング装置。
【請求項３】
前記カッターのうち半分を超えるものが、前記駆動源に結合される、請求項１又は２に記載の装置。
【請求項４】
前記第１アウターカッターが、前記第２アンダーカッターの振動数とは異なる振動数で駆動される方法で前記駆動源に結合される、請求項２に記載の装置。
【請求項５】
前記第１アウターカッターが、０°から１３５°の位相角の範囲で、前記第２アンダーカッターを進ませるか、あるいは遅らせるように、前記駆動源に結合される、請求項２に記載の装置。
【請求項６】
前記位相角が、０°から９０°の範囲にある、請求項５に記載の装置。
【請求項７】
前記第１アウターカッターが、往復動のために装着される、請求項１に記載の装置。
【請求項８】
第３アウターカッター（１４６３；２２５２）と、前記駆動源（２６０）に接続されて前記第３アウターカッターに対する運動のために装着される第３アンダーカッター（１８１；２５１）とを有する第３シェービングユニット（１１３；２０３）を更に備える、請求項２に記載の装置。
【請求項９】
前記第１アウターカッター（７）が、前記第１アンダーカッター（６）に結合する、請求項２に記載の装置。
【請求項１０】
前記第１アウターカッターが、リンク機構（１１、１２；４２、４４、４１）によって、前記第１アウターカッターと協働するアンダーカッターに結合される、請求項９に記載の装置。
【請求項１１】
前記リンク機構が、前記アウターカッターの運動のためのクランク部材とアームとを備える、請求項１０に記載の装置。
【請求項１２】
前記第１のシェービングユニットが、ロングヘアーカッターつまりトリマーとして構成される請求項１又は２に記載の装置。
【請求項１３】
前記第１のアウターカッターが、皮膚との強化されたグリップに適応する外面を有する請求項１又は２に記載の装置。
【請求項１４】
前記第２アウターカッターが低摩擦外面を有する請求項１又は２に記載の装置。
【請求項１５】
動力伝達装置が、前記駆動源を各シェービングユニットへ結合するために備えられる、請求項１又は２に記載の装置。
【請求項１６】
更に、前記駆動源と結合する第１駆動シャフトを備え；前記第１駆動シャフトが、第１ギア手段と第１偏心カムエレメントを担持し；第２ギア手段と第２偏心カムエレメントを担持する第２駆動シャフトを備え；記第２ギア手段は、前記第１ギア手段と噛み合い；前記第１と第２のカムエレメントが、それぞれのシェービングユニットに結合する第１と第２のフォロワ手段と係合するよう編成される、請求項１５に記載の装置。
【請求項１７】
更に、第３ギア手段と第３偏心カムエレメントとを担持する第３駆動シャフトを備え、前記第３ギア手段が、前記第１と第２のギア手段のうちの一方と噛み合い、前記第３カムエレメントが、前記シェービングユニットのうちのひとつと結合する第３フォロワ手段と係合する、請求項１６に記載の装置。
【請求項１８】
前記第３フォロワ手段が、第３シェービングユニットに結合する、請求項１７に記載の装置。
【請求項１９】
ドライシェーバーカートリッジであって：
支持構造体と；
両方ともに振動運動のために前記支持構造体に装着されるアウターカッターおよび可動アンダーカッターと；
前記アンダーカッターと反対位相で前記アウターカッターに運動を強いるために前記アウターカッターを前記アンダーカッターに結合するリンク機構と；
を備える、前記ドライシェーバーカートリッジ。
【請求項２０】
互いに協働する第１アウターカッター及び第１アンダーカッターを含む２つの第１カッターを有する第１のシェービングユニットと、互いに協働する第２アウターカッター及び第２アンダーカッターを含む２つの第２カッターを有する第２のシェービングユニットとを含むドライシェービング装置を操作する方法であって：
前記第１アンダーカッター及び前記第１アウターカッターの両方を駆動し、切断及び皮膚のアジテート動作の両方を実行する為に、
前記第１シェービングユニットにおいて、ヘアを剪断する関係で、前記第１アンダーカッターを前記第１アウターカッターに押し付け、
駆動源を前記第１アウターカッター及び前記第１アンダーカッターに結合し、更に前記第２アウターカッター及び前記第２アンダーカッターに結合し；
前記第２シェービングユニットにおいて、前記第２アウターカッターを作動しないように保持する、前記操作する方法。
【請求項２１】
前記カッターが、皮膚アジテーションの振動数とは異なる振動数で振動する、請求項２０に記載の方法。
【請求項２２】
ドライシェーバーカートリッジにおいて：
支持構造体と；
ショートヘアカッターとして構成された第２シェービングユニットの、第１の、一対の、協働するカッターとして組み立てられた第２アウターカッターと；
第１アウターカッター及び可動第１アンダーカッターであって、振動運動の為に両方とも前記支持構造体に装着され、前記第２アウターカッターから間隔を開けて配置されている、前記第１アウターカッター及び可動第１アンダーカッターと；
前記第１アウターカッターが前記第１アンダーカッターの運動により駆動されるように強いる為に、前記第１アウターカッターを前記可動第１アンダーカッターに結合するリンク機構と；
を備える、前記ドライシェーバーカートリッジ。
【請求項２３】
前記第１アウターカッターは、ヘアが入るように適合された複数のスリットが画成された複数のバーを有する、請求項２２記載のドライシェーバーカートリッジ。
【請求項２４】
前記スリットは、前記第１アウターカッターの側方幅にわたって伸びている、請求項２３記載のドライシェーバーカートリッジ。
【請求項２５】
前記側方スリットは、前記側方幅を通って伸びるヘア供給チャネルを画成する、請求項２４記載のドライシェーバーカートリッジ。
【請求項２６】
前記第１アウターカッターは、平面と概略交差する上面を有する、請求項２２記載のドライシェーバーカートリッジ。
【請求項２７】
前記第１アウターカッターは、櫛のように形成されている、請求項２２記載のドライシェーバーカートリッジ。
【請求項２８】
前記第１アウターカッターは、皮膚との強化されたグリップに適応する外面を有する、請求項２２記載のドライシェーバーカートリッジ。
【請求項２９】
前記第２アウターカッターが低摩擦外面を有する、請求項２２記載のドライシェーバーカートリッジ。
【請求項３０】
前記第１アウターカッターは、線形往復動の為に装着されている、請求項２２記載のドライシェーバーカートリッジ。
【請求項３１】
前記リンク機構は、第１長手往復動運動に対し直角な第２運動方向において、前記第１アウターカッターを駆動するように構成されている、請求項２２記載のドライシェーバーカートリッジ。
【請求項３２】
前記第２運動方向は、前記可動第２アンダーカッターから離れる方向で上方に導かれる、請求項３１記載のドライシェーバーカートリッジ。
【請求項３３】
前記リンク機構は、前記第１アウターカッターの運動の為にアームとクランク部材とを備える、請求項２２記載のドライシェーバーカートリッジ。
【請求項３４】
前記第１アウターカッターは、前記可動第２アンダーカッターの振動数とは異なる振動数で駆動される、請求項２２記載のドライシェーバーカートリッジ。
【請求項３５】
前記第１アウターカッターは、前記可動第２アンダーカッターに、逆位相で振動されるように結合される、請求項２２記載のドライシェーバーカートリッジ。
【請求項３６】
前記第１アウターカッターは、前記可動第２アンダーカッターと９０度位相がずれて振動されるように、前記可動第２アンダーカッターに結合される、請求項２２記載のドライシェーバーカートリッジ。
【請求項３７】
前記第１アウターカッターは、前記可動第２アンダーカッターより０°から１２０°の範囲の位相角だけ進むか遅れるように振動されるように、前記可動第２アンダーカッターに結合される、請求項２２記載のドライシェーバーカートリッジ。
【請求項３８】
ヘッドハウジングと組み合わされてドライシェーバーヘッドを画成し、前記ヘッドハウジングは、シャシと、前記シャシ上に装着された第１アウターカッターを、前記第１アウターカッターとの協働関係で有し、前記第１アウターカッターは、前記支持構造体に装着され、ショートヘアカッターとして構成された第１シェービングユニットを共に形成し、前記支持構造体は、前記シャシに結合される、請求項２２記載のドライシェーバーカートリッジ。
【請求項３９】
前記支持構造体は、リリースできるように前記シャシに結合されている、請求項３８記載のドライシェーバーカートリッジ。
【請求項４０】
前記ヘッドハウジングは、ピボットを有し、前記ピボットは、モータと駆動機構を含むシェーバーハウジングに対し旋回連結用の軸を画成する、請求項３８記載のドライシェーバーカートリッジ。
【請求項４１】
ドライシェーバー用カートリッジであって：
支持構造体と；
第１アウターカッター及び可動第２アンダーカッターであって、両方とも振動運動の為に前記支持構造体に装着された、前記第１アウターカッター及び可動第２アンダーカッターと；
前記第１アウターカッターを前記可動第２アンダーカッターに結合し、前記アウターカッターが前記アンダーカッターの運動により駆動されるよう強いる、リンク機構と；
を備える、ドライシェーバー用カートリッジ。
【発明の詳細な説明】
技術分野
本発明は、ハウジング内に設けた駆動源；両者間での相対運動のために装着される、第１アウターカッターと第１アンダーカッターとを有する第１シェービングユニット；および、第２アウターカッターと、前記第２アウターカッターの下での運動のために装着される第２アンダーカッターとを有する第２シェービングユニット；を備えるドライシェービング装置に関する。
背景技術
本明細書は主として、米国特許第5,185,926号またはドイツ特許DE 4,338,789C2に記載されるリニア振動式インナーカッターを備えて長手方向に延びるシェービングユニットを有するシェーバーに関係するが、記載の原理を、日本の特許公報JP-A-5,317,535またはWO96/02368によって周知の回転式内部カッターを備えたドライシェーバーにも容易に適用できることが理解できよう。
更に、本明細書は、シェーバーハウジングに固定して装着されるか（US-A-5185926号）、せん断ヘッドフレームへ浮動的に装着されるか（DE 4,213,317C2）、またはシェーバーハウジングへ枢着されたせん断ヘッドへ装着された（WO93/12916）、少なくとも２つのシェービングユニットを備えるドライシェービング装置にも関係する。
リニヤドライシェービング装置の一例がWO93/12916から周知である。この周知の装置は、一実施形態では、枢動可能なヘッドに装着された３つの個別の浮動式シェービングユニットを含む。これらユニットは、ロングヘアカッターとして構成されたひとつのユニットを、ショートヘアカッターとして構成された２つのユニットの間の中央に配置した状態で並列に編成されている。個別ユニット内で付勢するスプリングは、使用中にカッターユニットが顔の輪郭に追従して上下に動けるので、使用中の、皮膚との接触を改善する。
単体の穿孔フォイルの下に４つの独立したアンダーカッターから成るアレイを設けることも、DEB-1003629から周知である。２つの外側アンダーカッターは一緒に、そして２つの内側アンダーカッターから独立して駆動される。これによって、内側アンダーカッターを外側アンダーカッターから反対位相で駆動できるので、或る程度の動的バランス取りをもたらしてハウジングの振動を減少させる。
日本の出願（特公平）JP-B2-8-17859は、外部フォイルカッターと内部カッターとを有する中央メインシェービングユニットと、メインカッターのそれぞれの側の２つのトリマーとを備えた往復動電気シェーバーを開示している。この提案によれば、メインシェービングユニットのアンダーカッターは、動的バランス取りを改善するためにトリマーのアンダーカッターと反対位相で往復動するようになっている。
更に、ドイツ特許第1,004,518号と、DE-A-2,309,342からは、単一フォイル形カッターアセンブリと、フォイル形カッターアセンブリのそれぞれの側に２つの櫛状トリマーアセンブリを持つシェーバーにおいて、各トリマーアセンブリが皮膚と接触する可動ブレードを有し、そのブレードはフォイル形カッターアセンブリのアンダーカッターに直接に結合されるシェーバーが提供されることも周知である。これによって、フォイル形カッターによって見逃されたロングヘアを、トリマーによって限定的に捕捉することができる。
フォイル形ドライシェービング装置は、不精ひげを除去するために非常に効果的に作動するが、２〜３日の顎ひげの成長に相当する長さのヘアに関してときどき問題が発生する。このヘアは最早フォイルの孔を容易に貫通しないので、アンダーカッターとフォイル間の相互作用では切断されない。この問題を克服するために長年にわたって様々な試みが行なわれてきた。例えば、米国特許第2,309,431号は、アンダーカッターだけでなく、皮膚係合（skin-engaging)アウターカッターも反対位相で振動するようにした一対のシェービングユニットを有するドライシェーバーを開示している。皮膚上でこのように切削ヘッドを動かすことで、ヘアの受入開口部が皮膚表面を「走査的」動作で動かすように意図されていたので、切削ヘッドの下の皮膚のすべての部分は、ヘア受入開口部と継続的に重ね合う（into register）ことになるだろう。しかしながら、過度の不快感を避けるために、外部切削ヘッドを毎分３，０００回転を超えて往復動させることは好ましくないと考えられた。もっとも、アンダーカッターはその振動数の３ないし５倍で往復動するようになっていた。その上に、多少複雑なカム作動式駆動アセンブリを利用してアウターカッターを反対方向に往復動させていたので、それがカッター間の中途に静止皮膚ゾーンを生み出してしまう。
米国特許第4,174,569号は、外部剪断カッターが皮膚と接触して振動すると同時に、更に別のカッターがそのアウターカッターの下で振動するようした別の提案を開示している。米国特許第2,309,431号の場合と同様、内部カッターの振動の振動数はアウターカッターよりもかなり高かった。
孔付きアウターカッターを通る長い顎ひげの貫通を改善するためのこれらの試みは、殊更成功したわけではない。その上、従来技術は、隣接するシェービングユニット間の相互作用の可能性を何ら考慮していないように思われる。
本発明の目的は、孔付きアウターカッターを通るヘアの貫通が改善されるドライシェービング装置を提供することである。
本発明の別の目的は、ヘアが、アウターカッターを貫通してから、切断のために最適位置決めされるドライシェービング装置を提供することである。
本発明の別の目的は、個々のカッターが、簡単な方法で、所望のストロークと位相で駆動できるドライシェービング装置を提供することである。
発明の開示
本発明の一局面によれば、第１アウターカッターと第１アンダーカッターとを含む、互いに協働する少なくとも２つの第１カッターを有する第１個別シェービングユニット；第２アウターカッターと第２アンダーカッターとを含む、互いに協働する少なくとも２つの第２カッターを有する少なくともひとつの第２個別シェービングユニット；前記カッターの協働のための付勢手段；および各個別シェービングユニットの少なくともひとつのカッターに連結される少なくともひとつの駆動源；を備えるドライシェービング装置であって、前記個別シェービングユニットのうち、少なくとも第１ユニットのすべてのカッターが、前記駆動源に連結されて切断と皮膚アジテーティング（agitating）の目的のために駆動され；前記個別シェービングユニットの少なくとも更にもうひとつのアウターカッターが不活性である；ことを特徴とするドライシェービング装置が提供される。
本発明の別の局面によれば、互いに協働する第１アウターカッターと第１アンダーカッターとを有する第１シェービングユニット；互いに協働する第２アウターカッターと第２アンダーカッターとを有する第２シェービングユニット；およびハウジング内に装着されるとともに各シェービングユニットの少なくともひとつのカッターに連結される駆動源；を備えるドライシェービング装置であって、第１アウターカッターが駆動源に連結されるとともに、それに応じる振動運動のために装着されて、第１と第２のアウターカッターを通るヘアの貫通を促進し；第２アウターカッターが不活性である；ことを特徴とするドライシェービング装置が提供される。
好ましくは、ショートヘア用の第３シェービングユニットを設け、この第３シェービングユニットは、第３アウターカッターと、第３アウターカッターの下での運動のために装着される第３アンダーカッターとを備え、第１ユニットを、第２と第３のシェービングユニット間に設ける。
一実施形態では、第１アウターカッターは実質的に９０°だけ第３アンダーカッターに遅れる。
活性ユニットを使って皮膚を活性化することによって、皮膚表面が、その不活性ユニットまたは各不活性ユニットの皮膚係合面全体に前後に動かされることが理解できよう。これが、その不活性ユニットまたは各不活性ユニットへのヘアの貫通を助けて、不快感を最少限にして、ヘアが切断される機会を向上させる。位相や振動数の調節によって更なる向上が達成できるが、それについては以下に説明する。
本発明の一実施形態では、２つの不活性シェービングユニットを活性シェービングユニットのそれぞれの側に設ける。活性ユニットのアウターカッターは従って、不活性ユニットのアンダーカッターと同一振動数（同期動作）か、または異なる振動数（非同期動作）で駆動できる。振動数が同一の場合、不活性ユニットのアンダーカッターの位相を、活性ユニットのアウターカッターに対して最適化できる。現在では、ひとつの不活性ユニットのアンダーカッターがゼロに近い小角度だけ遅れ（ショートヘア用）、他方の不活性ユニットのアンダーカッターが９０°進む（ロングヘア用）のが最良の編成であると考えられている。しかしながら、シェービング性能を最適にするために、正確な位相を実験によって設定してもよい。ひとつの不活性ユニットのアンダーカッターを活性ユニットのアウターカッターと同相で駆動して、他方の不活性ユニットのアンダーカッターの位相をロングヘアにとって最適になるように調節するか（約９０°だけ進む）、あるいは構造上の実際的理由から、両不活性ユニットのアンダーカッターを、活性ユニットのアウターカッターと同相で駆動することが好ましいかもしれない。
活性ユニットのアウターカッターが不活性ユニットのアンダーカッターと異なる（より高いかより低い）振動数で駆動される場合、周期的に変化する位相状態が存在するので、位相調整は当然ながら不必要、つまり不可能である。
単純化した実施形態では、一方が活性で他方が不活性の２つだけのシェービングユニットが設けられる。ここでも２つの可能性が存在する。すなわち、活性ユニットのアウターカッターは、不活性ユニットのアンダーカッターと同一振動数で駆動されるか、あるいは異なる、より高いかより低い振動数で駆動される。振動数が同一の場合は、位相調節が可能である。単純化を理由に、一構造では、活性ユニットのアウターカッターが不活性ユニットのアンダーカッターと同相で駆動されるようになっている。このような構造では、活性ユニットのアンダーカッターは静止状態でもよく、さもなければアウターカッターと反対位相で駆動してもよい。
いずれの実施形態においても、例えば肌荒らし（roughening）を行なったり、高摩擦皮膜を塗布して皮膚に対するグリップを高めるように、活性ユニットのアウターカッターの皮膚係合面を適合させるのは有利であろう。更に、不活性ユニット上での皮膚の動き量を最大にするために、その（または各）不活性ユニットの皮膚係合面に低摩擦皮膜を与えることが有利であろう。状況によっては、活性ユニットの皮膚係合面に低摩擦皮膜を与えることが有利であると判明するかもしれない。
【図面の簡単な説明】
本発明をよりよく理解するために、また本発明がどのように実行されるかを明らかにするために、例としてここで添付図面を参照する。
図１は、２つのショートヘアカッター間に配設されたロングヘアカッターのアウターカッターを振動させるための様々な可能性を示す概略図である。
図２は、２つのショートヘアカッターのアンダーカッターと、中央ロングヘアカッターのアンダーカッターとアウターカッターとを駆動するための一連のオプションを示す。
図３は、図２のオプション２を実施するための中央ロングヘア活性カッターカートリッジの第１実施形態を示す。
図４は、図２のオプション２、４、または７を実施するための別のロングヘア活性カッターカートリッジを示す。
図５は、図４のロングヘア活性カッターカートリッジの分解等寸図を示す。
図６は概略説明図を示す。
図７ａと７ｂを含む図７は、図２のオプション２、４、または７を実施するためのロングヘア活性カッターカートリッジの第３実施形態を示す。
図８は、図７のロングヘアカッターカートリッジの分解等寸図を示す。
図８Ａは、図７と８のロングヘアカッターカートリッジの変更の分解等寸図を示す。
図９は、図７と８の活性ロングヘアカッターカートリッジの変更を示す。
図１０は、活性スキンアジテータの動作の理論に関する概略説明図を示す。
図１１は、図２のオプション７を実施するためのシェーバーヘッドの部分等寸図を示す。
図１２は、図１１のアセンブリの縦断面図を示す。
図１３は、図１１の実施形態の中心線を通る断面を示す。
図１４は、回転ヘッドシェーバーに適用した、図１１のアセンブリの分解等寸図を示す。
図１４Ａは、固定ヘッドシェーバーに適用した、図１１のアセンブリの分解等寸図を示す。
図１５は、図１４のアセンブリに使用される図７と８のカートリッジの等寸図を示す。
図１６は、図１４のアセンブリに使用するための駆動部材を示す。
図１７は、図１１のアセンブリのショートヘアカッターの各々に対するアンダーカッターアセンブリを示す。
図１８は、図１７のアンダーカッターアセンブリの分解等寸図を示す。
図１９は、図１１と２０のアセンブリに使用するための、エンドプレートを切り取った状態のガイドレール付きシャーシ部材を示す。
図２０は、図２のオプション６を実施するためのドライシェービング装置の部分切り取り等寸組立図を示す。
図２１は、図２０のアセンブリの縦断面図である。
図２２は、図２０のアセンブリの等寸分解図である。
図２３は、図２０の中央ロングヘアカッターカートリッジ用駆動システムの等寸図である。
図２４は、ひとつのショートヘアユニットのアンダーカッター用、そして中央ロングヘアユニットのアンダーカッター用の駆動アセンブリの等寸図である。
図２５は、図２４の駆動センブリの等寸分解図である。
図２６は、電動モータから個別カッターユニットまで駆動を伝達するための動力伝達装置アセンブリ等寸図である。
図２７は、図２６の動力伝達装置アセンブリを通る断面を示す。
図２８は、各種の可能なギヤとカムピンの編成を概略的に示す。
図２９は、ロングヘアユニットアウターカッター用の各種の可能なデザインを示す。
図３０は、振動式ロングヘアカッターユニットを含むツイン駆動編成の等寸図を示し、図２のオプション４を実施するために使用できる。
図３１は、ロングヘア用およびショートヘア用それぞれの２つのシェービングユニットを有するシェーバーの等寸分解図を示す。
図３２は、図２のオプション２、４、または７を実施するための活性ロングヘアカッターカートリッジの第４実施形態の等寸図を示す。
図３３は、図３２のカートリッジのアンダーカッターアセンブリの等寸図を示す。
図３４は、アンダーカッターを取り外した状態の、図３３に対応する等寸図を示す。
図３５は、図３４のアセンブリの部分断面側面図である。
図３６は、図２のオプション６の単純化した変更を実施するためのロングヘア活性カッターカートリッジの第５実施形態の２つの等寸図を示す。
図３７は、図３６のカートリッジの等寸分解図を示す。
図３８は、図２のオプション６の単純化した変更を実施するためのロングヘア活性カッターカートリッジの第６実施形態の等寸図を示す。
図３９は、図３８のカートリッジの等寸分解図を示す。
発明を実施するための最良の形態
図１は、３つのシェービングユニット、すなわち２つの外部ショートヘアカッターユニット１、２と、時にはトリマーと称される中央ロングヘアカッター３とを有する三重ヘッド式ドライシェーバーの概略表示である。ここでは、ロングヘアカッターのアウターカッターとショートヘアカッターのアウターカッターの孔への不精ひげの貫通が、振動運動をロングヘアカッターのアウターカッターへ与えて皮膚を活性化することによって改善できることが提案されている。図１は、その活性化を与えるために研究された様々な可能性（ａ）〜（ｇ）を示す。図示のように、（ａ）では、アウターカッターが、顔を叩くように皮膚表面に対して垂直に振動できる、あるいは（ｂ）皮膚表面に平行に、かつ、ショートヘアユニットのアンダーカッターの振動方向と平行に振動できる。その他に、中央ユニットのアウターカッターを、皮膚表面に垂直な軸の周りに部分回転させたり（ｃ）、または皮膚表面に平行な軸の周りに揺動運動させることができる（ｄ）。更に運動の各種の可能成分を、例えば図１の第２列目で示すように、様々な方法で組み合わせることも可能で、この場合、オプション（ａ）と（ｃ）、オプション（ａ）と（ｂ）、およびオプション（ｂ）と（ｄ）がそれぞれ組み合わされている。以下、アウターカッターを動かして皮膚を活性化するシェービングユニットを「活性ユニット」と称する。
次に、オプション（ｂ）と（ｆ）を実施する方法を更に詳しく検討する。
図２を参照すると、三重ヘッド式シェービングシステムの個別カッターを駆動するためには様々な方法が可能である。オプション１は、上で検討を加えたWO/93/12916から周知である編成を示す。
オプション２はオプション１の変更と見做し得るが、この場合、中央ロングヘアユニットを変更してアウターカッターにも運動を与えるようになっている。これは、アンダーカッターをアウターカッターにリンクさせるリンク部材によって達成されるので、アウターカッターはアンダーカッターと反対位相で動く。このオプションは後で更に詳しく説明する。
オプション３は、３個すべてのシェービングユニットに静止アウターカッターを持つが、ロングヘアユニットのアンダーカッターをひとつのショートヘアユニットのアンダーカッターと同相で駆動する一方、他方のアンダーカッターを反対位相で駆動する。
オプション４はオプション３の変更と見做してもよいが、この場合、オプション２と類似の方法で、ロングヘアカッターのアウターカッターにも運動が与えられる。
オプション５ではすべてのアウターカッターが静止している。ショートヘアカッターのアンダーカッターは反対位相で駆動されるが、他方、ロングヘアのアンダーカッターはショートヘアカッターのアンダーカッターと９０°外れた位相で駆動される。
オプション６はオプション４の変更と見做してもよいが、この場合、ロングヘアカッターは活性で、そのアウターカッターはそのアンダーカッターに対して、オプション４で示した１８０°ではなく、９０°外れた位相で駆動される。オプション６は後で更に詳しく説明する。
最後に、オプション７は、ロングヘアのアンダーカッターと、反対位相で駆動される２つのショートヘアアンダーカッターとの間に９０°の位相シフトを導入している。ロングヘアユニットのアウターカッターはそのアンダーカッターと反対位相で駆動される。
例として図１に示す何れかの方法で中央ロングヘアカッターのアウターカッターを動かすために、WO92/12916に開示された三重ヘッド式デザインをどのように変更し得るかについて考察を行なった。最初のアプローチとして、WO92/12916に示されるような三重ヘッド式シェーバー（図２のオプション１として概略的に表示）は、ロングヘアカッターユニットに小さな変更を加えることによって、図２のオプション２に示すロングヘア活性カッターカートリッジ（内部でアウターカッターが動くカートリッジ）を備え得ると考えられる。変更されたそのロングヘアカッターを図３に示す。
ハウジング３１内に設けられているのが、内部シャーシ部材３２と上部シャーシ部材３３であり、それらは、駆動ブリッジ４を舌片１９、１９ａによって定位置に捕らえるように、組立時に一緒にはめ込まれる。駆動ブリッジ４は可撓部品を持つので、ブリッジ４は振動性線形（直線）運動を行なうことができる。その運動は、駆動ブリッジ４の基部の孔５に受容可能な駆動ピンによって、ブリッジ４に与えられる。シェービングユニットの上部には、アンダーカッター６とアウターカッター７が設けられる。アンダーカッター６は、連結エレメント８と、アンダーカッターをアウターカッター７へ付勢するためのバイアス・リーフスプリング９とを備えている。リングピン１０は一端で連結エレメント８に係合して、他端で駆動ブリッジ４内に受容される。シェービングユニットのそれぞれの端部でシャーシ部材３３に枢動可能に装着されるのがリンクアーム１１、１２である。リンクアーム１１はピボット１３によってシャーシ３３に枢着される一方、リンクアーム１２はピボット１４によってシャーシ３３に枢着される。各リンクアーム１１、１２はその下端にスロット１５、１６を有し、それらスロットの中には、駆動ブリッジ４に固定された駆動ピン１７、１８が受容される。上端では、各リンクアーム１１、１２が、アウターカッター７に溶接されたピン２１、２２によって、アウターカッター７に枢動可能に装着される。かくして、駆動ブリッジ４が前後に振動すると、リンクアーム１１、１２はアウターカッター７を、アンダーカッター６に対して反対位相で運動させる。この動きの間、リングピン１０は常に垂直のままである。アウターカッターのストロークの長さは、アーム１１と１２の上のピボット点１３、１４の位置を調節することによって調節できる。
図４ａと４ｂを含む図４は、ロングヘアカートリッジの別の構造を示す。カートリッジは、一体式エンドラッチ４０９と５００を含むエンドブロック４９、５０によって互いに固定された２つの平行プレート５７、５８から成るシャーシアセンブリ５６を備える。各エンドブロック４９、５０は、サイドプレート５６、５７へピン４９１、４９２または５０１、５０２によって溶接される。この構造によって、図３の構造に比べて短いリンクアームを使用できる。ここで、アウターカッター７は、クランク部材４１と、シャーシプレート５７、５８に溶接されたピン４３によって枢着されたショートアーム４２とによって、連結エレメント８から直に駆動される。アウターカッターの平行運動を維持して確保するために、第２ピボットアーム４４がシェービングユニットの他端に設けられる。アーム４２、４４はシャーシアセンブリ５６内へピン４３、４８によって枢動可能に装着され、ピンはシャーシアセンブリに溶接される。クランク部材４１は、連結エレメント８の一方のリムとアーム４２の間にピン４７、４６によってそれぞれ枢動可能に結合される。連結エレメント８はアンダーカッター６に溶接される。アーム４２、４４の上端はそれぞれのピン４５、４５１上で枢動可能であり、ピンはアウターカッター７に溶接されている。駆動ピン（図示せず）は３点８ａ、８ｂ、８ｃにおいて連結エレメント８に係合することになる。点８ａを介して上向き負荷が加えられると、浮力とアンダーカッターバイアスの両者が与えられる。図４ａは、中立の中央位置にある内刃とアウターカッター６、７を示すが、図４ｂは、内刃６が左に１．５ｍｍだけ動き、それに応じてアウターカッター７が右に、リンク部材４２のピボット点の間隔に従って、それより短い距離だけ動いたときに取られる位置を示す。
図５は、図４のシェービングユニットの構造を分解等角図で示す。アウターカッター７は略Ｕ形の断面を持ち、複数の櫛状歯５１を備える。アウターカッター７の側壁の基部には、リンク部材４２と４４の上部ピボットピン４５、４５１を受容するため開口端スロット５２と５３が設けられている。アンダーカッター６も略Ｕ形の断面を持つ。カッターの側壁は、溶接によって連結エレメント８に固定される。連結部材８は２本のアームを備え、各アームはクランク部材４１を受容するためにスロット加工されるが、すでに述べたようにひとつのクランク部材しか備えていない。連結エレメント８の各アームには、クランク部材４１を連結部材８のスロットに保持する連結ピン４７を受容するための孔５４、５５が設けらている。
クランク部材４１の他端は、リンクアーム４２の下端の同様のスロットに受容される。すべての可動部品は、２つの側壁５７、５８を持つシャーシ５６によって担持され、その上端には半円形の切欠き５９、６０、６１、６２を設けて、それぞれのリンクアーム４２、４４の枢動軸４３、４８を受容するようになっている。
理解されるように、アウターカッター７が図４と５に示す方式で駆動されるか、あるいは、図３で示す方式で駆動されたときにそれより小規模に駆動されると、垂直枢動アーム４２、４４または１１、１２へのその取付点は弧を描いて動く。従って、アウターカッターは、図６で概略的に示すように、水平方向前後に動くだけでなく、垂直方向上下にも動く。図示のように、図４と５に示すカートリッジの寸法形状では、アンダーカッターの水平移動が２．６０ｍｍの場合の垂直移動量は０．１７ｍｍだが、アンダーカッターの水平移動が３．００ｍｍの場合の垂直移動は０．２４ｍｍに上昇し、アンダーカッターの水平移動が３．６０ｍｍの場合の垂直移動は０．３６ｍｍに上昇する。垂直移動のこの大きさによって、図１のオプション（ｆ）に示す、いわゆる「パルス効果（pulsing effect）」をユーザーの皮膚にもたらすことができる。図３の編成での、パルス効果はかなり小さいが、図４の編成では、快適というには過大かもしれない。
このパルス効果を避けたい場合は、図７と８に示す構造を使用できる。図７の構造は、図７ａと７ｂを含めて、図４に示すものと同様だが、リンクアーム４２と４４の上部ピボットが別の方法で、垂直リンクアームとアウターカッターの間の或る程度の垂直変位を許容するという点で異なる。図４の実施形態では、ピボットピン４５はリンクアーム４２の上部の孔内で枢動可能であり、アウターカッター７のＵ形切欠き５２内へ、例えば溶接によって固定される。しかし、図７の実施形態では、図８ではっきり示すように、垂直リンク部材４２ａはその上端に一体ボス４５ａ、４５ｂを持ち、それらボスはアウターカッター７のＵ形スロット５２ａに摺動可能に受容される。アウターカッター７の一体スライド８１、８２は、シャーシアセンブリ５６のエンドブロック４９、５０内のスロット８３、８４の中を走って、アウターカッター７を案内するとともに保持する。その他の点で、図７と８の構造は、図４と５に示す構造と実質的に同一である。
図８Ａは、アウターカッター７Ａが片側のエッジのみに沿う櫛状歯を持つ、図７と８のカートリッジの変更を示す。アンダーカッター６ａは同じ様に設計されている。
図９は、図７と８の実施形態の更なる変更であり、ここでは、中央連結部材８と、クランク部材４１と、垂直リンクアーム４２ａという間のピボットリンクは、フィルムヒンジ９１と９２によって達成されている。これは、アーム、連結エレメント、およびクランク部材を単一成形ユニットとして製造できるので、製作を簡易化する利点がある。
図３から９に関して説明したロングヘア活性カッターカートリッジの実施形態のいずれかを、WO92/12916から周知の三重ヘッド式シェーバーの中央ロングヘアカッターとして、図２によるオプション２を作った場合、すべてのアンダーカッターが同相、かつ同期して振動し続ける一方で、中央ロングヘアユニットのアウターカッターは反対位相で振動するという状況が達成される。これは、アウターカッターの孔を通るヘアの貫通を促進する点で有利な効果を達成するが、１８０°の位相関係が最適でないことは、理論的考察に基づいて証明できるし、実際の試験によっても確認される。これは、図１０に基づいて説明することもできる。図１０（ａ）は、三重ヘッド式シェーバーの概略平面図を示し、この場合、２つのショートヘアユニットのアンダーカッターは左に動いているが、ロングヘア制御カッターのアウターカッターは右に動く。図１０（ｂ）は、これが、ロングヘアユニットの何れか一方のショートヘアユニットによって切断されるヘアに与える効果を示す。ロングヘアカッターのアウターカッターセクションの動きの結果として、ヘア１０１はショートヘアユニットのうちのひとつのユニットのアウターカッターの孔の右側に押し付けられる。これが生じているときに、アンダーカッターは左に動こうとするので、ヘアを孔の側面から引き離し、その結果、剪断効果はあまり効率的ではないし、カットされたヘアは比較的に長い。
次に図１０（ｃ）に示す状況を考えてみよう。この場合、中央ロングヘアユニットのアウターカッターは、２つのショートヘアユニットのアンダーカッターと同位相で動く。ここで、ヘア１０１がショートヘアユニットのうちのひとつのユニットのアウターカッターの孔の左側に押し付けられると、対応するアンダーカッターは左に動いているので効果的な剪断作用が発生し、切断されたヘアは比較的に短い。これは、図２のオプション４に効率上対応する（但し、オプション４では、ショートヘアユニットのアンダーカッターのひとつがロングヘアカッターのアウターカッターと反対の位相で駆動される）。
ロングヘアユニットのアウターカッターがショートヘアのアンダーカッターと同期して同相で駆動されるときは良い結果が期待できるだろう、ロングヘアのアウターカッターが追従ショートヘアアンダーカッターよりも位相角９０°だけ進む場合は、更に良い結果が達成されるだろう。実際は、実質的に９０°が好ましいが、０°〜１２０°の範囲のどの位相角でも有効であると言って差し支えない。
図２のオプション６、７に示すような位相角９０°が達成される方式について、以下、図１１から２６に関して詳しく検討する。これらの実施形態で、三重ヘッド式シェーバーへの本発明の応用を説明する。この場合、中央ロングヘアカッターのアウターカッターに９０°だけ遅れるように、両ショートヘアユニットの位相を調節することが可能である。しかしながら、追従ショートヘアユニットだけが中央ユニットのアウターカッターに９０°だけ遅れるように編成することも可能である。他方のショートヘアユニットは、中央ユニットのアウターカッターより９０°だけ進むか（オプション７）、それと反対位相にするか（オプション６）、あるいは適当なリンクを設けた場合は他の任意の選択可能な位相を持つことができる。
代替として、ロングヘアユニットのアウターカッターとショートヘアユニットのアンダーカッターとの間の位相関係が周期的に変化するように、ロングヘアユニットのアウターカッターを、ショートヘアユニットより低いか高い振動数で駆動することも本発明の範囲内である。そのような編成は、使用中の優先方向を避けたい場合に、特に価値がある。というのは、その場合、どちらのショートヘアユニットも追従ユニットと見做せるからである。
まず最初に図１１を参照すると、これは、図２のオプション７に対応する構造を示し、明瞭にするために一方のエンドプレートを切り欠いてある。図１１は三重ヘッド式シェーバー編成の回転ヘッドフレームを示し、この場合、中央ロングヘアユニット１１１は図７と８に示すものに対応するカートリッジの形を成す。ショートヘアユニット１１２と１１３は、外部孔付きカッター（フォイルと呼ぶこともある）を外した状態で示す。従って図１１は、２つの隣接ショートヘアユニット１１２と１１３間に配置された中央ロングヘアユニット１１１を示す。この実施形態で、すべての３つのアンダーカッターは独立に駆動されて、図７と８に関してすでに説明したリンクつまり駆動アームによって、ロングヘアアウターカッター用の駆動を、ロングヘアアンダーカッターから取る。これは、活性ユニット１１１がユニット１１２と１１３とは異なる速度で駆動できること、および活性アウターカッターとショートヘアアンダーカッターの間の位相角が最適性能になるように設定できることを意味する。
図１２は図１１のアセンブリの縦断面図で、両エンドプレート１２１、１２２を取り付けた状態である。ロングヘアアンダーカッターに対して上向きのバイアスを提供するためのコイルスプリング１３２も見える。アセンブリの基部に見えるのが、それぞれのカッターユニットを駆動するための各駆動ピン（図示せず）を受容する３つの駆動ロット１２４、１２５、１２６で、図１４から更にはっきりと理解されるだろう。各エンドレート１２１、１２２は、ヘッドが回転できるように、アクスルスタブを受容するためのベアリング孔１２１１、１２２１を備えている。
図１３は、図１１のアセンブリを通る垂直中心面に沿う断面である。図は、それぞれのシェービングユニット用のバイアススプリング１２３、１３１、１３２を明瞭に示す。図は、モジュール１４２、１４３、１４４用の２つの案内ロッド１３３、１３４も示すが、これについては図１４を参照して更に説明する。ロッド１３３、１３４は、ショートヘアモジュールのＵ形チャンネル１１４と１１５、そしてロングヘアモジュールの類似チャンネル内に受容される。
次に図１４を参照すると、図１１のシェービングシステムのアセンブリが更にはっきり理解されるだろう。図示のように、このアセンブリは６つの独立モジュール、すなわち、ロングヘア活性カートリッジモジュール１４１、活性カートリッジ駆動モジュール１４２、第１ショートヘアアンダーカッターモジュール１４３、第２ショートヘアアンダーカッターモジュール１４４（第１の１４３と同一）、シャーシモジュール１４５（一方のエンドプレートを切り欠いて示す）、およびフォイルフレームアセンブリ１４６で構成され、フォイルフレームアセンブリは、垂直方向に動けるが、軸方向には動けないようにフレーム１４６１に装着された２つのショートヘアユニットアウターカッター１４６２、１４６３を備えている。シャーシモジュール１４５は、それぞれのエンドプレート１２１、１２２のベアリング孔内に係合する２つのアクスルスタブ（図示せず）の周りで枢動するように編成される。このベアリング孔１２２１のひとつをエンドプレート１２２内に示す。
ロングヘアモジュール１４１は、すでに図７と８に関して説明したものと同一であり、これ以上の説明はしない。同一カートリッジの拡大等角図を図１５に示す。
図１６に最も良く示す駆動モジュール１４２は、中央クロス部材１４７を有する略長方形のスライダフレーム１４６から成り、中央クロス部材は、その上側でスプリングアセンブリ１４８（コイルスプリング１３２を含む）と駆動ポスト１４９とを支持するとともに、その下側で駆動ピンを受容するための弧状駆動スロット１２５を提供するのに役立つ。孔１４２１、１４２３、および１４２２、１４２４は、モジュール１４２の軸方向線形（直線）案内用の駆動ロッド１３３、１３４を受容する。
駆動ポスト１４９は駆動ピンの上で垂直方向にスライドすると共に、リテーナ１４２５によってその上に保持される。スプリング１３２はスライダー１４２と駆動ポスト１４９間に垂直力を供給して、活性ユニットのアンダーカッターとアウターカッターとの間の正しい接触と、活性ユニット用の正しい浮力の双方を確保する。
アンダーカッターモジュール１４３と１４４の各々は全く同一である。モジュールの一方を図１７に拡大スケールで示すとともに、図１８で分解等角図を示し、次にこの図について説明する。モジュールは、複数の横スロット１８１１を備えることによって、シェービング時に、対応するアウターカッター（またはフォイル）との剪断作用で協働する複数の弧状ブレード１８１２を提供する略チューブ状のカッター１８１を含む。カッター１８１はサポート１８２上に装着され、２つのポスト１８２１と１８２２によって適切に保持される。サポート１８２の下側の片方のエッジには、一対のラグ１８２３と１８２４が設けられる。対応する一対のラグが下側の他方のエッジに設けられる。ラグ１８２３、１８２４の孔はそれぞれのラッチ部材１８３６、１８３７にはまり、その上に遊動保持される。ラグの各対の間に画成されるのが、ベアリングブロック１８３のベアリングピン１８３１、１８３２を受容するためのベアリング面、例えば１８２５である。駆動は、ピン１８３１、１８３２によってベアリングブロック１８３からアンダーカッターに伝達されるが、そのピンの上でサポート１８２が回転して横断方向に動けるので、アウターカッターフォイルとの良好なカッター接触が確保される。
リングピン１８５を摺動自在に受容するためのガイド孔１８３３は、ブロック１８３を垂直方向に貫通する。コイルスプリング１８４はピン１８４を囲み、ベアリングブロック１８３の下面へ上向きの付勢力を加える。リングピン１８５の下端は、ベースサポート１８６の孔１８６１に堅く固定され、そのベースサポートも、ベアリングブロック１８３のそれぞれの横保持ラグ１８３４と１８３５を受容するための直立グリップアーム１８６２と１８６３を備えている。その下面に、ベース部材１８６は、アンダーカッターに対して必要な振動運動を与える駆動ピンを受容するための弧状スロット１２４を備える。孔１８６５と、ベース部材１８６の他端にある対応孔１８６７とが、部材１８６を軸方向に案内するためのガイドロッド１３４を受容する。
ペグ１８６６は他方のロッド１３３の底部に着座して、部材１８６がロッド１３４の周りに一方向に回転するのを防止する。
シャーシモジュール１４５を、一方のエンドプレートを切り欠いた状態で図１９に示す。モジュールは、縦軸の周りに回転可能で、弧状ベースプレート１９１から成り、ベースプレートには、それぞれのカッターユニット１１１、１１２、１１３の３つの駆動スロット１２４、１２５、１２６へのアクセスを許すための３つの実質的に長方形の開口部１９２、１９３、１９４を設けられている。モジュールの縦方向に延びるとともにベースプレート１９１によって支えられて、３つのモジュール１４２、１４３、１４４の線形（直線）案内のための２つのガイドロッド１３３と１３４が設けられる。すでに説明したように、各アンダーカッターモジュール１４２、１４３、１４４はガイド開孔部１８６５、１８６７、１４２１、１４２２、１４２３、１４２４を備え、これらの開孔部はガイドロッド１３３、１３４のそれぞれひとつと係合して、それぞれのアンダーカッターの正確な線形案内を確保する。ロッド１３３、１３４はクリップ（図示せず）によって保持される。
図１４Ａは、固定ヘッドシェーバーに使用される別のアセンブリを示す。モジュール１４１〜１４４と１４６とは、図１４のものと同一である。モジュール１４５Ａは、それがシェーバーハウジングの上端に固定して取り付けられて回転できないという点で、モジュール１４５と異なる。
次に、図２のオプション６がどのように実施されるかを示す図２０から２５について説明する。この実施形態では、ロングヘアアウターカッターとそのアンダーカッターの間に９０°（１８０°ではない）の位相シフトが存在するので、図３からの実施形態で示した駆動リンクを使ってアウターカッターをアンダーカッターから駆動する技法は使用できない。その代わりに、アウターカッターは独立するリンクによって駆動されるので、希望すれば、アンダーカッターへの駆動に悪影響を及ぼすことなく、アウターカッターへの駆動を（例えばスイッチによって）無効にできるだろう。更に、アウターカッターとアンダーカッターの間の、希望する何れの位相関係も選択できる。更に、アンダーカッターは静止していてもよい。図２０を更に詳しく見てみると、図示の三重ヘッド式ドライシェーバー２００は、３つのシェービングユニット２０１、２０２、２０３を備えている。２つのユニット２０１と２０３はショートヘア用に構成される。これらのユニットでは、アンダーカッター２０１１、２０３１だけが示されている。実質的に従来構造の外部孔付きカッター、例えばフォイル、を使用してショートヘアユニットを完成してもよい。第３ユニット２０２は活性カートリッジの形でロングヘアカッターとして構成される。図２１は、両サイドプレート２０４と２０５が存在した状態の、図２０のアセンブリの縦断面図である。活性カートリッジ用のバイアススプリング２０６が見える。アセンブリの基部で、それぞれの駆動ピンを受容するための３つのスロット２０７、２０８、２０９が、ベースプレート２１０の３つの孔を通してアクセスできる。
図２１は、ロングヘアカッタースライダフレーム２２２３、アウターカッター２１４、アンダーカッター２１５、および連結ラッチ２１１と２１２を備えた、振動ロングヘアユニット２０２用のスライダアセンブリを示す。アウターカッター２１４はラッチ２１１、２１２に溶接され、ラッチは、軸方向ではなく垂直方向に動けるように、スライダフレーム２２２３には嵌合される。連結エレメントはアンダーカッター２１５に溶接されて、アウターカッターの下に保持される。リーフスプリング２１３は、アンダーカッター２１５を、アウターカッター２１４へ付勢する力を提供する。コイルスプリング２０６はユニット２０２のための浮力を提供する。
図２２は、図２０のアセンブリ２００が、どのようにして５つのモジュール２２１、２２２、２２３、２２４、２２５から構成されるかを示す。アンダーカッターモジュール２２１は、それが、ロングヘアユニット２０２のアンダーカッターへ駆動を伝達するための特別な駆動部材２２１１を含む点で、他方のアンダーカッターモジュール２２３と異なる。駆動部材２２１１はコイルスプリング２２１２の上に浮動的に装着されて、ロングヘアカートリッジ２０２に対する浮動圧力を提供する。その他の点では、アンダーカッターモジュール２２１は図１７に示すアンダーカッターモジュールと同一なので、更なる説明は省略する。
モジュール２２２は、ロングヘアカッターユニットのアウターカッター用の駆動システムを含むとともに、ロングヘアユニットカートリッジも担持し、カートリッジは、モジュールのそれぞれの端部で２つの受入用ラッチ２２２１と２２２２へスナップ嵌合によって係合している。モジュールは、中心にクロス部材２２２４を有する略長方形のフレーム２２２３を備えている。クロス部材２２２４の下側に、駆動ピンを受容してアウターカッターを振動させるためのスロット２０８を設ける。
アンダーカッターモジュール２２３は図１７のモジュール１４４と同一なので、このモジュールの更なる説明は省略する。
アセンブリはシャーシモジュール２２４に担持され、このモジュールは図１９のモジュール１４５と同一なので、モジュールの更なる説明は省略する。
フォイルフレームアセンブリ２２５は、軸方向でなくて垂直方向のアウターカッターの動きを可能にするために、フレーム２２５３に装着されたショートヘアユニット用の２つのアウターカッター２２５１、２２５２を備えている。
駆動システムとロングヘアカッターモジュールの拡大図を図２３に示し、第１アンダーカッターモジュール２２１の拡大図を図２４に示す。
図２５は、第１アンダーカッターモジュール２２１の分解等角図を示す。モジュールはチューブ状カッター２５１、カッターサポート２５２、ベアリングブロック２５３、リングピン２５４、およびコイルスプリング２５５を備えているが、これらは図１８の対応部品と同一なので更なる詳細説明は省略する。ベースサポート２５６は、更なるリングピン２２１４を受容するための、円形ボアを内部に有する担持ラグ２２１３の存在によって、図１８のそれとは異なる。ピン２２１４は、ロングヘアアンダーカッター用の駆動部材２２１１に付勢力を加えるコイルスプリング２２１２を担持する。これは、アンダーカッターとアウターカッターとの間の良好な接触を提供するとともに、所望の浮力も提供する。
図２６は、シェービングシステムの個々の被駆動ユニットに対して調節可能な位相関係と振動数比を与えるために様々な方式で構成可能な動力伝達装置を示す。動力伝達装置は一列に編成された３本の並列垂直シャフトを備え、そのうち一本（通常は、中央シャフト）は、駆動源としてのロータリ電動モータ２６０のアーマチャシャフトへ直に連結される。その図示された構成で、動力伝達装置はそれぞれのシャフト上に３つのギヤ２６１、２６２、２６３を備えている。各ギヤも、先に詳しく説明したそれぞれのシェービングユニットの基部の駆動スロット、例えば図１２のスロット１２４、１２５、１２６または図２１のスロット２０７、２０８、２０９のそれぞれひとつに係合可能なオフセットカムピン２６５、２６６、２６７を備えている。かくして、それぞれのシェービングユニットの可動コンポーネントは、スコッチヨーク（Scotch yoke）式に往復動するようになっている。
図示の実施形態では、すべてのギヤ２６１、２６２、２６３は同一寸法なので、カムピン２６７とピン２６５、２６６とが同一速度で回転する。ギヤ２６２は、両外側シャフトが同一速度だが、中央シャフトより遅く回転するように、より小形のギヤと取り替えできるだろう。
代替として、大形ギヤを外側シャフトの２つの小形ギヤと噛み合わせて中央シャフトで使用することによって、２つの外側シャフトを中央シャフトよりも早く回転させることができる。
それぞれのシャフト間の位相関係は、それぞれの駆動ピン２６５、２６６、２６７の円周方向位置を調節するか、あるいは連動するギヤを外して、それを先の位置から、回転した新しい円周方向位置に置き換えることによって、簡単に調節できる。
図２７は、フレーム２６８に固定されたモータ２６０を示す。ギヤ２６１と２６３には、それぞれベアリング２６１１と２６３１が圧入されている。ギヤ２６２は、共に回転できるようにモータシャフト２６９へ固定されている。ピン２６６はギヤ２６２に圧入される。
次に図２８を参照すると、これは、カムピンのギヤと位相の編成に関する６つの可能な編成（ａ）〜（ｆ）を含む。図２８ａは、カムピンが同一位相にあるように、すべてのギヤを同一比にした状態を示す。図示のように、２つの外側カムピンはショートヘアアンダーカッターを反対位相で駆動する。各々に対する駆動のズレ（drive offset）は同一である。
図２８ｂは、カムピンが同一位相にあるように、すべてのギヤを同一比にした状態を示す。図示のように、２つの外側カムピンはショートヘアアンダーカッターを反対位相で駆動する。ショートヘアアンダーカッターの各々に対する駆動のズレは同一である。しかしながら、中央の駆動は、よりストロークが短い（shorter throw）。
図２８ｃは、カムピンが同一位相にあるように、すべてのギヤを同一比にした状態を示す。図示のように、３つのカムピンはすべて互いに１２０°位相がずれている。各々に対する駆動のズレは同一である。
図２８ｄは、カムピンが同一位相にあるように、２つの外側ギヤ（それらのカムピンはショートヘアアンダーカッターを駆動）を同一比にした状態を示す。図示のように、２つの外側カムピンは互いに反対位相で駆動する。中央ギヤは他の２つよりも小さいので、その駆動ピンは他の２つよりも早く回転して、位相角を常に変化させる。図示のように、各々に対する駆動のズレは同一である。しかしながら、中央駆動のズレは他の駆動より大きくすることも、小さくすることも可能だろう。
図２８ｅは、カムピンが同一位相にあるように、ショートヘアアンダーカッターを駆動するカムピンを持つ外側の２つのギヤを同一比にした状態を示す。図示のように、２つの外側カムピンは反対位相で駆動する。中央ギヤは他の２つよりも大きいので、その駆動ピンは他の２つよりも遅く回転して、位相角を常に変化させる。図示のように、各々に対する駆動のズレは同一である。しかしながら、中央駆動のズレは他の駆動より大きくすることも、小さくすることも可能だろう。
図２８ｆは別の動力伝達装置の編成を示し、この場合、異なるサイズの２つの独立ギヤをモータシャフトに設ける。外側ギヤの各々は、モータシャフト上のギヤのそれぞれひとつと噛み合う。この結果、もちろん、２つの外側シャフトは異なる速度で回転することになる。
次に図２９を参照すると、ロングヘアユニットアウターカッター用の様々な可能デザインを示す。
図２９ａは、外方に突出する歯と中実の中央バーとを備えるアウターカッターを示す。
図２９ｂは、丸頭突出エッジを持つが中実の中央バーを持たないアウターカッターを示す。
図２９ｃは、図２９ａに示すものに対応するがその表面に或るテクスチャ（例えばサンドブラスト加工による）を与えてグリップを改良するとともにその外観を変更したロングヘアユニットアウターカッターを示す。
図２９ｄは、外方に突出する歯と、グリップ効果を高めるために部分的に逃がしを設けた中実の中央バーと、を有するロングヘアユニットアウターカッターを示す。
図２９ｅは、アウターカッターの長さに沿って千鳥状に配置された外方突出歯を有するロングヘアユニットアウターカッターを示すとともに、中央中実バーの存在も示す。
ロングヘアユニットのアジテーティングエレメントによって生じる皮膚とアウターカッタ一間の運動を最大にするために、ショートヘアユニットに、アウターカッターの外部皮膚係合面に低摩擦皮膜（例えばテフロン）を施すことも好ましい。
次に図３０を参照すると、これは、２つのショートヘアユニット３０１、３０２と、ショートヘアユニットの間の中央に配設されたひとつのロングヘアユニット３０３と、を有する三重ヘッド式シェーバーの等角分解図を示す。これは、主として、ショートヘアユニットのアンダーカッターの振動を生じさせるのに２つの駆動ピンしか必要としないという事実によって、例えば図１４または図２２に示すものとは異なる。カートリッジ形状のロングヘアユニット３０３は、この実施形態では、ショートヘアカッターユニットのひとつに一体に形成された駆動部材３０２１によって駆動される。これは、ロングヘアユニットとショートヘアユニット間の可変位相（先に記載した設計では可能）を許されないが、より低コストで生産できる。
図３１は、裏半分３１３１と、スイッチ３１４を担持する表半分３１３２とを有するハウジング３１３上に２つのシェービングユニット３１１と３１２だけを装着した、本発明の実施形態によるシェービング装置の単純化仕様を示す。ユニット３１１はショートヘアのシェービング用だが、ユニット３１２はロングヘアのシェービング用で、図８Ａに示すように構成してもよい。それは、表半分と裏半分のハウジング３１３２と３１３１の間に挟まれた中間フレーム部材３１５上に装着され、スイッチ３１４の動きによってショートヘアユニット３１１に対する位置を調節できる。フレーム部材３１５は、図８Ａのカートリッジの連結エレメント８に係合する枢着されたドライバーレバー３１６を担持する。ユニット３１１は、アンダーカッター３１１１と不活性のフォイル形アウターカッターとを備える実質的に従来型のショートヘアユニットである。言うまでもないが、アンダーカッター３１１１は、ユニット３１２のアンダーカッター６ａと同相で駆動されるので、ユニット３１２のアウターカッター７ａと反対の位相で駆動される。
図３２は、図２のオプション２、オプション４、またはオプション７を実施するためのロングヘア活性カッターカートリッジの更なる実施形態の等角図を示す。カートリッジ３２０は、２つの可動キャリヤ３２２と３３１上にそれぞれの固定ピン３２３と３２４によって装着されたアウターカッター３２１を備えている。アウターカッターアセンブリ３２１、３２２、３３１は、第１エンドブロック３２５、第２エンドブロック３２６、および一対のサイドプレート３２７と３２８（図３２にひとつだけ見える）を備えたシャーシアセンブリ上に可動装着される。第１と第２のラッチ３２９と３３０は、カートリッジをシェーバーヘッド内に固定するためのそれぞれのエンドブロック３２５および３２６と一体に成形される。
図３３は、図３２のカートリッジの等角図を示し、可動キャリヤ３３３上に装着されたアンダーカッター３３２を露出するために、アウターカッター３２１とシャーシの一方のサイドプレート３２７を取り外した状態で、一対の連結部材３３４と３３５が可動キャリヤから延びている。アウターカッター用の可動キャリヤ３２２と３３１はそれぞれ、シャーシに枢着されたそれぞれのリンクに結合される。キャリヤ３２２は、シャーシのサイドプレートに３３７で枢動可能に接続されたアーム３３６上に装着される。キャリヤ３３１は、可撓リンク３３８によってアンダーカッター３３２用のキャリヤ３３３に連結される。リンク３３８は、３３９でシャーシのサイドプレートに枢動可能に接続される。可撓リンク３３８は、図３５を参照して更に詳しく説明する。
図３４は、アンダーカッターキャリヤ３３３の構造を更にはっきり示すためにアンダーカッター自体を取り外した状態のアンダーカッターアセンブリを示す。
次に図３５を参照して、可撓リンク３３８の構造を説明する。可動キャリヤ３３１は、第１フィルムヒンジ３５１を介してダブルアームレバー３５２へ一体接続され、ダブルアームレバーは第２フィルムヒンジ３５３を介してスタビライザ３５４に一体接続され、スタビライザは第３フィルムヒンジ３５５を介してダブルアームレバーすなわちベルクランク３５６に一体接続され、ベルクランクは３３９でシャーシの側壁枢動可能に接続される。ダブルアームレバーすなわちベルクランク３５６は、第４フィルムヒンジ３５７を介して第２スタビライザ３５８に一体接続され、第２スタビライザは第５フィルムヒンジ３５９によって、アンダーカッター用のキャリヤ３３３に連結される。
言うまでもないが、連結部材３３４と３３５間に係合する駆動ピンによって駆動源がキャリヤ３３３に連結されると、キャリヤ３３３はそのアンダーカッター３３２と共に往復動することになる。この運動はベルクランク３５６に伝達されて、ベルクランクをピボット３３９の周りに振動させる。この振動運動は次にレバー３５２に伝達されるので、アウターカッター３２１用のキャリヤ３３１に伝達される。このようにして、アウターカッター３２１は、アンダーカッター３３２と反対位相で往復動することになる。
図３６は、図２のオプション６を実施するために特に適したロングヘア活性カッターカートリッジの更なる実施形態の等角図を示す。カートリッジ３６０は、それぞれのラッチ３６３と３６４によってシェービングヘッド内に装着されたアンダーカッター３６２上へ摺動可能に装着されたアウターカッター３６１を備える。このように装着されているので、アンダーカッターは静止していてアウターカッター３６１だけが動く。図３６の左手の図（ａ）は、アウターカッター３６１がアンダーカッター３６２上の中央位置にある状態を示す。図３６の右手の図（ｂ）は、アウターカッター３６１がアンダーカッター３６２上の完全に左側まで変位した状態を示す。この実施形態では、アウターカッターはリーフスプリング３６５によってアンダーカッター３６２に押し付けられて接続している。アウターカッター３６１の中央から下方に延びているのは、モータの駆動ピンを中間で受容してアウターカッター３６１の往復運動を生じさせるための２つの連結部材３６６と３６７である。
図３７は、アウターカッター３６１の上部とリーフスプリング３６５との間の係合から外された状態のアンダーカッターアセンブリ３６２を示す。図示のように、アンダーカッターアセンブリはそれぞれのエンドブロック３７１と３７２に固定されたアンダーカッター部材３６０を備え、エンドブロックからそれぞれのラッチ３６３と３６４が延びている。
図３８は、図３６と３７の実施形態の実質的な変更であるロングヘア活性カッターカートリッジの更なる実施形態を示す。カートリッジ３８０は、ここでも、可動アウターカッターアセンブリ３８１と静止アンダーカッターアセンブリ３８２とを備える。また、一対の連結部材３８３と３８４が、アウターカッターアセンブリ３８の側壁から下方に延びる。しかしながらこの場合、連結部材３８３と３８４は、アウターカッターアセンブリ３８１のそれぞれの端部まで延びて、一対のサイド部材の間、つまり一端は３８５と他端は３８６の間で係合する。各連結部材の延長部は、図３９に更にはっきり現われているように、それぞれのバレルスプリング３８７と３８８を保持するためのサポートピップを備える。
図３９では、バレルスプリング３８７、３８８用のそれぞれのサポートピップ３９１と３９２が更にはっきりと見える。
言うまでもないが、図３６および３７の実施形態と、図３８および３９の実施形態の両者では、アウターカッターアセンブリのみが、モータからの駆動ピンとの係合によって動かされる。アウターカッターだけが動くので、カートリッジ用の駆動リンクは、アウターカッターとアンダーカッターの双方が動くその他の活性カートリッジに要求されるものよりもかなり簡単になる。これらの実施形態は単純性とコストが主要考慮事項となる場合に使用できる。非常に単純な実施形態では、一方が活性で他方が不活性の２つのシェービングユニットのみが設けられる。活性ユニットは図３６と３７、または図３８と３９に従って構成することができる。その場合、不活性ユニットのアンダーカッターは、活性ユニットのアンダーカッターへ直に連結されて、それと同相で非常に簡単に駆動される。
本発明を数々の実施形態に関連して説明したが、更なる実施形態も可能であり、当該技術に精通する者には思い浮かぶことであろう。本発明の範囲は、下記の請求の範囲によって包含されるものを含む、それらすべての実施形態まで拡張される。この請求の範囲では、「第１」、「第２」、「第３」の表示を使って各種のコンポーネントを規定している。これらの表示は識別のための単なる便宜上の標識であって、それ以上の意味を持つものではない。
【図１】
0003987578.tif 000002
【図２】
0003987578.tif 000003
【図３】
0003987578.tif 000004
【図４ａ】
0003987578.tif 000005
【図４ｂ】
0003987578.tif 000006
【図５】
0003987578.tif 000007
【図６】
0003987578.tif 000008
【図７ａ】
0003987578.tif 000009
【図７ｂ】
0003987578.tif 000010
【図８】
0003987578.tif 000011
【図８Ａ】
0003987578.tif 000012
【図９】
0003987578.tif 000013
【図１０】
0003987578.tif 000014
【図１１】
0003987578.tif 000015
【図１２】
0003987578.tif 000016
【図１３】
0003987578.tif 000017
【図１４】
0003987578.tif 000018
【図１４Ａ】
0003987578.tif 000019
【図１５】
0003987578.tif 000020
【図１６】
0003987578.tif 000021
【図１７】
0003987578.tif 000022
【図１８】
0003987578.tif 000023
【図１９】
0003987578.tif 000024
【図２０】
0003987578.tif 000025
【図２１】
0003987578.tif 000026
【図２２】
0003987578.tif 000027
【図２３】
0003987578.tif 000028
【図２４】
0003987578.tif 000029
【図２５】
0003987578.tif 000030
【図２６】
0003987578.tif 000031
【図２７】
0003987578.tif 000032
【図２８】
0003987578.tif 000033
【図２９】
0003987578.tif 000034
【図３０】
0003987578.tif 000035
【図３１】
0003987578.tif 000036
【図３２】
0003987578.tif 000037
【図３３】
0003987578.tif 000038
【図３４】
0003987578.tif 000039
【図３５】
0003987578.tif 000040
【図３６】
0003987578.tif 000041
【図３７】
0003987578.tif 000042
【図３８】
0003987578.tif 000043
【図３９】
0003987578.tif 000044